(57)【要約】【課題】送信、受信のそれぞれの回路に個々に設ける専用の昇圧トランスによらずに、巻き線の１部を送信回路及び受信回路で共用して、送受信回路に１個の昇圧トランスで、送信時の駆動電圧昇圧と受信時の超音波反射信号の昇圧を行って、コストとサイズの増大を抑えた超音波診断装置の送受信回路を提供すること。【解決手段】複数の振動子から成る探触子３と、前記複数の振動子のそれぞれの駆動１、並びにそれぞれから信号の受信４を行う複数の送受信回路とを設けて成る超音波診断装置であって、前記送受信回路は昇圧トランス２を有して、その１次側巻線Ｔ１に前記送受信回路の駆動回路１出力が接続され、第１の２次側巻線Ｔ２ａに前記振動子３が接続され、第２の２次側巻線Ｔ２ｂに前記送受信回路の受信回路４の入力が接続されて成ることを特徴とする超音波診断装置。【選択図】　図１
2004057477.tif 000002
【特許請求の範囲】
【請求項１】
振動子を有する探触子と、前記振動子を駆動して超音波を送波しこの振動子により受けた信号を受信する送受信回路とから成る超音波診断装置であって、
前記送受信回路は、１次側巻線に前記送受信回路の駆動回路出力が接続され、第１の２次側巻線に前記振動子が接続され、第２の２次側巻線に前記送受信回路の受信回路の入力が接続された、昇圧トランスを有して成ることを特徴とする超音波診断装置。
【請求項２】
複数の振動子から成る探触子と、前記複数の振動子の各々に対応して設けられ、それら振動子の駆動及びそれら振動子から信号を受信する複数の送受信回路とから成る超音波診断装置であって、
前記送受信回路は、１次側巻線に前記送受信回路の駆動回路出力が接続され、第１の２次側巻線に前記振動子が接続され、第２の２次側巻線に前記送受信回路の受信回路の入力が接続された、昇圧トランスを有して成ることを特徴とする超音波診断装置。
【請求項３】
前記第１の２次側巻線は、一端が接地された２次側巻線の接地端子とタップ端子間に接続され、前記第２の２次側巻線は、前記タップから延長された２次側巻線の他端端子と前記接地端子間に接続されており、
駆動信号が前記１次側巻線と前記第１の２次側巻線の巻線比により昇圧され、受信信号が前記第１の２次側巻線と前記第２の２次側巻線の巻線比により昇圧されることを特徴とする請求項１又は２記載の超音波診断装置。
【請求項４】
前記第１の２次側巻線は、バイアス電流を流してオン状態に設定され接地したダイオードブリッジが接続される２次側巻線の一端端子とタップ端子間に接続され、前記第２の２次側巻線は、前記タップ端子とこれから延長された２次側巻線の他端端子間に接続され、
駆動信号が前記１次側巻線と前記第２の２次側巻線の巻線比により昇圧され、受信信号が前記第１の２次側巻線と前記第１及び第２の２次側巻線の和の巻線比により昇圧されることを特徴とする請求項１又は２記載の超音波診断装置。
【請求項５】
前記第１の２次側巻線は、タップ端子が接地された２次側巻線の一端端子とこの接地されたタップ端子間に接続され、前記第２の２次側巻線は、前記接地されたタップ端子とこのタップから延長された２次側巻線の他端端子間に接続され、
駆動信号が前記１次側巻線と前記第１の２次側巻線の巻線比により昇圧され、受信信号が前記第１の２次側巻線と前記第２の２次側巻線の巻線比により昇圧されることを特徴とする請求項１又は２記載の超音波診断装置。
【発明の詳細な説明】
【０００１】
【発明の属する技術分野】
本発明は、振動子アレイを有する探触子により、超音波を用いて、生体の断層像などを表示する超音波診断装置に係り、特に昇圧トランスを有する送受信回路に関する。
【０００２】
【従来の技術】
生体に超音波を放射して、生体内の臓器からの反射超音波信号を画像化して表示する超音波診断装置は、多くの場合、解像度の向上を図るために、数十個から数百個の振動子をほぼ同時に位相をずらして駆動する方式が用いられ、特にこの種のものは電子走査型と呼ばれている。
【０００３】
図５は、多数の振動子を用いる電子走査超音波診断装置の構成図である。図５（ａ）に示すように、一般的な電子走査超音波診断装置の超音波の送受信では、探触子５１のｎ個の振動子５２に対し、送信回路５３及び受信回路５４から成る送受信回路５５が、それより少ないｍ個設けられ、これらの送受信回路５５と接続する振動子５２を切替えるスイッチ群も設けられるが、この図では模式的にこのスイッチ群は省略して示している。
【０００４】
さらに、ｍ個の受信回路から出力される受信信号は、それぞれの位相を整えて加算される整相加算回路５６、及びＬｏｇ圧縮、検波などの信号処理回路５７を経て、画像表示５８の系統に画像信号として出力される。
【０００５】
図５（ｂ）は、同図（ａ）の探触子５１と従来の送受信回路５５の構成の詳細を示すブロック図である。
【０００６】
従来の送信回路５３は、図示しないトリガ信号発振機からのトリガ信号が入力される送信駆動回路５３ａと送信駆動信号を昇圧する送信側昇圧トランス５３ｂとで構成される。
【０００７】
一方、探触子５１で受信された微小な受信信号は、過大な駆動パルスから受信回路５４を保護する入力リミッタ回路５４ａの規制を受けずに通過し、受信側昇圧トランス５４ｂに入力されて、数倍の電圧の受信信号に昇圧される。昇圧された受信信号は、さらに、その後に行われる信号処理に対応するために、信号レベルが受信増幅回路５４ｃで増幅されて、この信号のＮＦ（雑音指数）を改善して出力される。
【０００８】
上に述べたように、電子走査超音波診断装置の従来の送受信回路では、送信駆動電圧を高電圧化する送信昇圧トランスと受信信号のＮＦ改善のための受信昇圧トランスを設けて、超音波画像の分解能の向上を図る。しかし、送受信回路に２個の昇圧トランスを搭載すると、特に電子走査超音波診断装置では、先にも述べたように、送受信回路が数十回路、多いものでは数百回路を要するので、その回路部品点数の増加と、その設置スペースの点から、送受信回路の製造コスト並びに回路基板サイズを増大させることが、大きな問題点となっていた。
【０００９】
【発明が解決しようとする課題】
本発明は、従来の超音波装置では、送信回路にも受信回路にも昇圧トランスが必要であり、これらの回路が各振動子に応じて必要なことを考えると送受信回路のコストが高く、しかも回路基板も大きくなるという問題があった。
【００１０】
本発明はこのような問題点に鑑みてなされたもので、コストと回路基板サイズの増大を抑えた超音波診断装置を提供することを目的とする。
【００１１】
【課題を解決するための手段】
上記の目的を達成するために、本発明の請求項１によれば、振動子を有する探触子と、前記振動子を駆動して超音波を発射しこの振動子により受けた信号を受信する送受信回路とから成る超音波診断装置であって、前記送受信回路は、１次側巻線に前記送受信回路の駆動回路出力が接続され、第１の２次側巻線に前記振動子が接続され、第２の２次側巻線に前記送受信回路の受信回路の入力が接続された、昇圧トランスを有して成ることを特徴とする超音波診断装置を提供する。
【００１２】
本発明の請求項２によれば、複数の振動子から成る探触子と、前記複数の振動子の各々に対応して設けられ、それら振動子の駆動及びそれら振動子から信号を受信する複数の送受信回路とから成る超音波診断装置であって、前記送受信回路は、１次側巻線に前記送受信回路の駆動回路出力が接続され、第１の２次側巻線に前記振動子が接続され、第２の２次側巻線に前記送受信回路の受信回路の入力が接続された、昇圧トランスを有して成ることを特徴とする超音波診断装置を提供する。
【００１３】
本発明の請求項３は、第１の２次側巻線は、一端が接地された２次側巻線の接地端子とタップ端子間に接続され、前記第２の２次側巻線は、前記タップから延長された２次側巻線の他端端子と前記接地端子間に接続されており、駆動信号が前記１次側巻線と前記第１の２次側巻線の巻線比により昇圧され、受信信号が前記第１の２次側巻線と前記第２の２次側巻線の巻線比により昇圧されることを特徴とする。
【００１４】
本発明の請求項４は、第１の２次側巻線は、バイアス電流を流してオン状態に設定され接地したダイオードブリッジが接続される２次側巻線の一端端子とタップ端子間に接続され、前記第２の２次側巻線は、前記タップ端子とこれから延長された２次側巻線の他端端子間に接続され、駆動信号が前記１次側巻線と前記第２の２次側巻線の巻線比により昇圧され、受信信号が前記第１の２次側巻線と前記第１及び第２の２次側巻線の和の巻線比により昇圧されることを特徴とする。
【００１５】
本発明の請求項５は、第１の２次側巻線は、タップ端子が接地された２次側巻線の一端端子とこの接地されたタップ端子間に接続され、前記第２の２次側巻線は、前記接地されたタップ端子とこのタップから延長された２次側巻線の他端端子間に接続され、駆動信号が前記１次側巻線と前記第１の２次側巻線の巻線比により昇圧され、受信信号が前記第１の２次側巻線と前記第２の２次側巻線の巻線比により昇圧されることを特徴とする。
【００１６】
【発明の実施の形態】
以下、本発明の超音波診断装置の実施形態を図面を用いて詳細に説明する。なお、本発明の実施形態は、超音波診断装置に同形で複数個が設けられる送受信回路に適用して実施されるものであり、以下では超音波診断装置の送受信回路の部分を中心に説明する。
【００１７】
図１（ａ）は、本発明の超音波診断装置の送受信回路の基本構成を示すブロック図で、同図（ｂ）は、さらに本発明の第１の実施形態における昇圧トランスを模式的に表わして、送受信回路を示したブロック図である。
【００１８】
図１（ａ）に示すように、本発明の超音波診断装置の送受信回路の構成は、大きくは、送信のトリガ信号が入力され駆動波形を発生する送信駆動回路１と、昇圧トランス２と、超音波信号の送信及び受信を行う探触子３と、受信信号を増幅する受信回路４とから成る。さらに、この受信回路４は、送信駆動回路１からの高電圧の駆動波形電圧を阻止するダイオードブリッジスイッチ回路及び入力の振幅を抑制する入力リミッタ回路を有する入力制限回路５と受信増幅回路６とから成る。
【００１９】
本実施形態に使用する昇圧トランス２は、同図（ｂ）に示すように２次側巻線にセンタータップを有し、３個の巻線Ｔ１、Ｔ２ａ、Ｔ２ｂを備えるトランスであり、１次側巻線及び２次側巻線それぞれの一端が接地される。これらの巻線の巻線比は、Ｔ１：Ｔ２ａ：Ｔ２ｂ＝１：Ｍ：Ｎである。
【００２０】
図１（ｂ）に示す送受信回路は、次のように動作する。送信回路１から出力される駆動波形が昇圧トランス２の巻線Ｔ１に印加され、その電圧振幅がＭ倍となって巻線Ｔ２ａに誘起されて、探触子３を駆動する。駆動された探触子３から超音波が送信され、反射体で反射された一部の超音波が、超音波反射信号として再びこの探触子３で受信される。
【００２１】
この信号を電気信号に変換して探触子３から出力される超音波反射信号の電圧は、送信のために探触子３に印加された電圧に比べて８０ｄＢ〜１００ｄＢ小さい電圧であるが、昇圧トランス２のセンタータップの巻線Ｔ２ａに入力されて、同じ２次側鉄心に共巻された巻線Ｔ２ｂの端子には、１＋（Ｎ／Ｍ）倍の電圧で出力される。この昇圧トランス２から出力される超音波反射信号は、受信回路４に入力され、さらに増幅されて次段の図示しない信号処理回路へ出力される。
【００２２】
図２は、本発明の第１の実施形態の具体的な回路例を示す図である。
【００２３】
この第１の実施形態の回路は、図１（ｂ）送信駆動回路１が、図２のトリガ信号Ｖ１、Ｖ２に接続されるスイッチＭ１、Ｍ２からなる送信駆動回路１１に対応する。さらに、昇圧トランス２は、１次巻線にもタップを有する昇圧トランス２２に、探触子３は、振動子ＣｘとケーブルＴ１とからなる探触子１３に、入力制限回路５は、バイアス電流が流れているダイオードブリッジスイッチ回路と並列ダイオードによるリミッタ回路を備える入力制限回路１５に、受信増幅回路６は増幅器Ａｍｐ１から成る受信増幅回路１６にそれぞれ対応して構成される。
【００２４】
この第１の実施形態の動作は、図２において、送信回路１１のスイッチＭ１、Ｍ２は、昇圧トランス２２の１次側巻線ｔ１、ｔ２に接続されて、お互いの位相がπずれた矩形波のトリガ信号Ｖ１、Ｖ２により駆動されて、交互にオン／オフを繰り返す。このスイッチＭ１、Ｍ２のオン／オフにより、送信回路１１の電源Ｖｔから昇圧トランス２２の巻線ｔ１、ｔ２へそれぞれ交互に電圧Ｖｔの逆位相の電流が流れて、交番磁界が発生する。
【００２５】
この交番磁界は２次側の接地されたタップ巻線ｔ３に交流電圧を誘起して、探触子１３に入力する駆動信号を発生する。この駆動信号は、１次側での電圧２Ｖｔを巻線比Ｍ倍した、２Ｍ・Ｖｔとなり、探触子１３のケーブルＴ１を介して、振動子Ｃｘに印加される。
【００２６】
なお、前記トリガ信号Ｖ１、Ｖ２は、２波から数波程度の発振をして、次の発信タイミングまで発振を休止するので、このスイッチＭ１、Ｍ２も発振の無い期間はオフとなっている。
【００２７】
振動子１３では、駆動信号により超音波が放射されて、反射体によりその一部が反射し、反射超音波として再び探触子１３の振動子Ｃｘで受信される。
【００２８】
受信した反射超音波は、探触子１３の振動子Ｃｘにより電気信号の超音波反射信号に変換されて、再び昇圧トランス２２の接地されたタップ巻線ｔ３に印加される。この巻線ｔ３に印加された超音波反射信号は、昇圧トランス２２の２次側で共に接地されてタップ巻線ｔ３の他端に延長される巻線ｔ４の端子と接地端子間に、巻数比ｔ３：ｔ４＝Ｍ：Ｎに対応して、１＋（Ｎ／Ｍ）倍に昇圧されて出力される。
【００２９】
昇圧して出力された超音波反射信号は、受信回路４の入力制限回路１５のダイオードＤ３〜Ｄ６によるダイオードブリッジスイッチ回路（以降、ＳＷ回路と称す）に入力される。このＳＷ回路は、バイアス抵抗Ｒ２、Ｒ３を通じて電源Ｖｃｃと負電源Ｖｅｅに接続されて、無信号、または小電圧信号ではバイアス電流Ｉｂを流して、全てのダイオードがオン状態になっており、入力された信号は通過して行く。
【００３０】
一方、振動子駆動信号のように、電源Ｖｃｃまたは負電源Ｖｅｅの電圧より大きな信号が入力された時には、ダイオードＤ３、Ｄ６またはダイオードＤ４、Ｄ５の何れかの組が、オフとなって、このダイオードブリッジがオフ状態となるので、入力された大きい電圧の信号は、このＳＷ回路を通過しない。
【００３１】
さらに、ＳＷ回路の出力に接続される並列ダイオードによる入力リミッタ回路により、後段の受信増幅器１６への入力が、約０．７Ｖ以下に制限され、過大な超音波反射信号は抑制される信号処理が行われて、さらに後段の処理回路に出力される。
【００３２】
この第１の実施形態によれば、探触子１３を駆動する駆動信号の昇圧と、探触子１３で受信した超音波反射信号の昇圧とを、唯１つのセンタタップ昇圧トランスにより行うことが可能となり、受信側に設けていた昇圧トランスを必要としない。したがって、特に送受信回路を多数備える電子走査超音波診断装置においては、この受信側に設けるトランスの設置スペースの省略と、部品コストの削減を図ることができる効果がある。
【００３３】
図３は、第２の実施形態を示す図で、同図（ａ）はそのブロック図であり、同図（ｂ）はその具体的な回路図である。
【００３４】
第２の実施形態は、図２（ａ）に示すように、送信のトリガ信号が入力され駆動波形を発生する送信駆動回路１は、昇圧トランス２の１次側巻線Ｔ１に接続される。探触子３は、昇圧トランス２の２次側巻線Ｔ２ａと巻線Ｔ２ｂの間のセンタタップに接続される。さらに、送受信切換スイッチ回路５ａが、巻線Ｔ２ａの端子に接続される。また、入力リミッタ回路５ｂと受信増幅回路６とから成る受信回路４が、巻線Ｔ２ｂの端子に接続されて、構成される。
【００３５】
送受信切換スイッチ５ａは、駆動信号が巻線Ｔ１に印加され、巻線Ｔ２ａに高電圧が誘起されると高インピーダンスのオフ状態になるが、通常の無信号または微小電圧ではオン状態で、巻線Ｔ２ａの端子を接地ＧＮＤに接続する。送受信切換スイッチ５ａのこの作動により、この第２の実施形態では、昇圧トランス２の送信時の駆動信号の昇圧は、巻線Ｔ１と２次巻線Ｔ２ｂとの間で行われ、その巻線比Ｔ１：Ｔ２ｂ＝１：ＮによりＮ倍となる。一方、超音波反射信号の受信信号は、１次側巻線Ｔ２ａに印加されて、昇圧トランス２の巻線Ｔ２ｂの端子から受信回路４へ入力される受信信号は、第１の実施形態と同様に、巻線比Ｔ２ａ：Ｔ２ｂ＝Ｍ：Ｎにより１＋（Ｎ／Ｍ）倍になる。
【００３６】
第２の実施形態の動作について、図３（ｂ）の回路図を用いて説明する。
【００３７】
この回路は、同図（ａ）の昇圧トランス２が同図（ｂ）の昇圧トランス３２に、同じく、送受信切換スイッチ回路５ａがダイオードブリッジのＳＷ回路１５ａに、入力リミッタ回路５ｂが入力リミッタ回路１５ｂにそれぞれ対応して構成される。
【００３８】
さらに、送信駆動回路１１及び探触子１３は、第１の実施形態と同様にそれぞれ昇圧トランス３２の１次巻線ｔ１、ｔ２及び２次巻線ｔ３、ｔ４のセンタタップ端子に接続される。巻線ｔ３の端子には、ダイオードブリッジのＳＷ回路１５ａが接続され、この接続点と対になるブリッジのノードがＧＮＤ接地に接続される。また、巻線ｔ４の端子は、入力リミッタ回路１５ｂの並列ダイオードに接続される。
【００３９】
この実施形態の動作は、送信駆動回路１１では、第１の実施形態と同様に、トリガ信号Ｖ１、Ｖ２により、交互にオン／オフを繰り返すスイッチＭ１、Ｍ２で、昇圧トランス３２の巻線ｔ１、ｔ２に電流が流れて交番磁界が発生し、２次巻線ｔ３及びｔ４にそれぞれ２Ｍ及び２Ｎ倍に昇圧した電圧が誘起される。
【００４０】
ここで、巻線ｔ３の端子に接続されたＳＷ回路１５ａは、巻線ｔ３の端子が小電圧（電源Ｖｃｃまたは負電源Ｖｅｅ以下）及び無信号の場合には、ダイオードＤ３〜Ｄ６にバイアス電流が流れてオン状態と成り、この巻線ｔ３の端子をＧＮＤ接地するが、一方高電圧が印加されると、Ｄ３、Ｄ６の組またはＤ４、Ｄ５の組のいずれかオフ状態の高インピーダンスになる。また、この時、巻線ｔ４の端子は、入力リミッタ回路１５ｂの並列ダイオードにより、オフ状態のＳＷ回路１５ａより小さなインピーダンスで接地される。したがって、前述の２次側の巻線ｔ３に誘起された電圧がＳＷ回路１５ａをオフ状態にして、巻線ｔ４の端子が入力リミッタ回路１５ｂの並列ダイオードで接地されるので、巻線ｔ４に誘起された電圧（２Ｎ・Ｖｔ）は探触子１３の駆動信号と成る。
【００４１】
この駆動信号により探触子１３から放射された超音波が、反射体で反射し、再び探触子１３に受信されて、巻線ｔ３に超音波反射信号として印加される。この超音波反射信号は、小電圧であり前述のＳＷ回路１５ａがオン状態でＧＮＤ接地されて、巻線Ｔ２ａに延長して設けられる巻線Ｔ２ｂの端子に、その巻線比Ｔ２ａ：Ｔ２ｂ＝Ｍ：Ｎにより１＋（Ｎ／Ｍ）倍に昇圧した電圧の超音波反射信号として出力される。
【００４２】
昇圧トランス３２から出力された超音波反射信号は、受信回路４の入力リミッタ回路１５ｂに入力されて、並列ダイオードＤ１、Ｄ２により約０．７Ｖ以下に制限されて、次段の受信増幅回路１６に入力される。
【００４３】
この実施形態においては、ノイズ発生源となるダイオードＳＷ回路１５ａの定電流源とダイオードが、ダイオードブリッジの１端がＧＮＤ接地されるので、このＧＮＤ接地と受信回路の入力インピーダンスと探触子１３の合成インピーダンスで分圧され、第１の実施形態の受信回路の入力インピーダンスと探触子１３の合成インピーダンスの分圧に比べて、対雑音比の改善が図れる利点がある。
【００４４】
図４は、本発明の第３の実施形態を示す回路図である。第３の実施形態は、図４に示すように、昇圧トランス４２の２次巻線ｔ３、ｔ４のセンタタップがＧＮＤ接地されて、巻線ｔ３の端子に探触子１３が、巻線ｔ４の端子に、ダイオードブリッジによるＳＷ回路と並列ダイオードの入力リミッタ回路とから成る入力制限回路１５が接続されて構成される。
【００４５】
この第３の実施形態では、トリガ信号Ｖ１、Ｖ２により、前述の第１の実施形態と同様に巻線ｔ１、ｔ２に電流が流れて、２次巻線ｔ３に２Ｍ倍に昇圧した電圧が誘起される。センタタップがＧＮＤ接地されており、この電圧は探触子１３を駆動する。
【００４６】
探触子１３で受信された超音波反射信号は、巻線ｔ３に印加されて、互いにＧＮＤをセンタタップで共通にする巻線ｔ４に、その巻線比ｔ３：ｔ４＝Ｍ：Ｎにより（Ｎ／Ｍ）倍となって誘起される。
【００４７】
巻線ｔ４の超音波反射信号は、巻線ｔ４の端子に接続される入力制限回路１５のＳＷ回路に入力される。ＳＷ回路では、前述の第１の実施形態と同様に、入力される信号の電圧により、ダイオードブリッジが「オン」状態、或は「オフ」状態となって、入力された信号の大小によりスイッチングする。したがって、超音波反射信号のように小電圧の信号は、ＳＷ回路１５ａは「オン」状態で、これを通過して、次の並列ダイオードの入力リミッタ回路に入力され、さらに次段の受信増幅回路１６に入力される。
【００４８】
第３の実施形態によれば、昇圧トランス４２の各巻線は、回路の機能毎に分離してそれぞれ接続されるので、受信信号の昇圧がＮ／Ｍ倍となるが、各巻線比、及び内部ノイズ設計などの検討が比較的容易に行える利点がある
なお、上述の説明では、電子走査超音波診断装置に設けられる同形の複数の送受信回路の１つについて説明したが、本発明を用いた電子走査超音波診断装置としては、複数の振動子を有する探触子と、複数の上述の送受信回路とが設けられ、図示しない切換スイッチを設けて、これにより送受信回路が接続される振動子を切替えて、駆動・受信が行われる。
【００４９】
本発明によれば、送受信回路の昇圧トランスを１個で済ますことができるので、送受信回路を多数備える電子走査超音波診断装置においては、この受信側に設けるトランスの設置スペースの省略と、部品コストの削減の効果は特に著しい。
【００５０】
【発明の効果】
以上、説明したように、本発明によれば、探触子を駆動する駆動信号の昇圧と、探触子で受信した超音波反射信号の昇圧とを、唯１つのセンタタップ昇圧トランスにより行うことが可能となり、昇圧トランスを少なくすることができ、トランスの設置スペースの省略と、部品コストの削減を図ることができる効果がある。
【図面の簡単な説明】
【図１】本発明の第１の実施形態の超音波診断装置の構成を示すブロック図。
【図２】本発明の第１の実施形態の回路図。
【図３】本発明の第２の実施形態の構成を示すブロック図と回路図。
【図４】本発明の第３の実施形態の構成図と回路図。
【図５】電子走査超音波診断装置及び従来の送受信回路の構成を示すブロック図。
【符号の説明】
１、１１・・・送信駆動回路、
２、２２、３２、４２・・・昇圧トランス、
３、１３・・・探触子、
４、１４・・・受信回路、
５、１５・・・入力制限回路、
６、１６・・・受信増幅回路、
１５ａ・・・ダイオードブリッジスイッチ回路（ＳＷ回路）、
１５ｂ・・・入力リミッタ回路。
【図１】
2004057477.tif 000003
【図２】
2004057477.tif 000004
【図３】
2004057477.tif 000005
【図４】
2004057477.tif 000006
【図５】
2004057477.tif 000007